(57)【特許請求の範囲】
【請求項１】
欄干（３）と、欄干台（２）と、人および物体の運搬用の階段（５）またはプレート（５）と、欄干（３）の偏向領域（１）において偏向させることができる人の安全確保を目的とした手すり（４）を備え、欄干に配設された手すり構造物とから成るエスカレータまたは移動歩道であって、欄干（３）または手すり構造物あるいはその両方により支持されている支持ディスク（１０）が、手すり（４）を偏向させるために偏向領域（１）に設けられ、支持チーク（１１）が、支持ディスク（１０）を保持するために偏向領域（１）で欄干（３）に設けられ、かつ手すり（４）を支持し、支持ディスク（１０）および支持チーク（１１）が、偏向領域（１）の場所で欄干（３）の厚みにほぼ等しい厚さを有するように、支持チーク（１１）が、欄干（３）の厚みより薄い厚みを有し、欄干（３）が、手すり（４）の厚みより薄い厚さを備えていることを特徴とするエスカレータまたは移動歩道。
【請求項２】
支持ディスク（１０）が、欄干（３）の壁厚にほぼ等しい厚さを備え、手すり（４）をその中央で支持し、偏向させることを特徴とする、請求項１に記載のエスカレータまたは移動歩道。
【請求項３】
支持ディスク（１０）が、ベアリング（１６）を備えた軸（９）に回転可能に配設され、軸が少なくとも１つの支持チーク（１１）により保持されており、支持チーク（１１）が欄干（３）または手すり構造物あるいはその両方に接続されていることを特徴とする、請求項１または２に記載のエスカレータまたは移動歩道。
【請求項４】
外側（７）および運搬側（６）に、支持チーク（１１）がそれぞれ設けてあることを特徴とする、請求項１から３のいずれか一項に記載のエスカレータまたは移動歩道。
【請求項５】
外側（７）には支持チーク（１１）が、また運搬側（６）には支持チーク（１１）および補強材（８）が設けてあることを特徴とする、請求項１から３のいずれか一項に記載のエスカレータまたは移動歩道。
【請求項６】
外側（７）には支持チーク（１１）が、また欄干（３）の運搬側（６）には補強材（８）が設けてあり、補強材（８）が、欄干（３）または手すり構造物あるいはその両方に接続され、壁厚に対して欄干（３）から突出している部品（９）と同一平面を成すことを特徴とする、請求項１から３のいずれか一項に記載のエスカレータまたは移動歩道。
【請求項７】
手すり（４）を広範囲に支持し、偏向させる目的で幅広の支持ホイール（１０）を設けてあることを特徴とする、請求項５または６に記載のエスカレータまたは移動歩道。
【請求項８】
階段（５）またはプレート（５）の方向に突出している欄干（３）の補強材（８）が、欄干（３）の運搬側（６）、特に手すり（４）の偏向領域の外部に配設してあることを特徴とする、請求項１に記載のエスカレータまたは移動歩道。
【発明の詳細な説明】
【０００１】
【発明の属する技術分野】
本発明は、欄干と、欄干台と、人および物体を運搬するための階段またはプレートと、欄干の偏向領域において偏向させることができる、人の安全確保を目的とした手すりを備え、欄干に配設した手すり構造物とから成るエスカレータまたは移動歩道に関する。
【０００２】
【従来の技術】
特許明細書ＵＳ２６３２５５０には、上部駆動偏向ホイールおよび下部自由回転偏向ホイールの上を手すりが導かれる構造のエスカレータが開示されている。手すりは、その中央で偏向ホイールにより支持されている。偏向ホイールが支持していない手すり端部は、それぞれＬ字形状の部材の一方のリムの上を滑動する。偏向ホイールは、回転できるように軸に配設してあり、この軸は、エスカレータの基部で支持されている。
【０００３】
【発明が解決しようとする課題】
既知の装置の問題点は、手すり用のＬ字形断面の部材の形状のため、偏向ホイールと、エスカレータの基部にある軸の支持体との形状が目障りであり、魅力ある設計の外観になかなかできないことである。
【０００４】
【課題を解決するための手段】
本発明は前記の問題を解決するものである。請求項１に特徴を述べた本発明の目的は、既知の装置の問題点を解決するとともに、手すりを傷つけない偏向ホイールを、ガラス製の欄干とでも併用できるようなエスカレータまたは移動歩道を構成することである。
【０００５】
本発明の主な特徴は、欄干の壁厚が約１０ミリで、外観が洗練されたエスカレータあるいは移動歩道でも手すりの寿命が延びる点である。さらに、連続的に偏向を支持することにより、手すりの摩耗を少なくしながら、手すりの張力を増大させ、これによってスパン幅を大きくしたエスカレータまたは移動歩道を実現できるという特徴がある。さらには、偏向領域を欄干と同じように薄く形成することができ、偏向領域の設計の自由度が増え、新たに処置を講じなくても、欄干に対して内側に突出している要素に関する適用法規を遵守することができるという利点もある。
【０００６】
二つの実施例を参照して、以下、本発明につき詳細に説明する。
【０００７】
【発明の実施の形態】
図１ないし図５において、基本的には欄干台２、欄干３、および手すり４を備えるエスカレータまたは移動歩道の偏向領域は、参照番号１で示してある。人および物体を運搬するために、エスカレータの場合は階段５を、移動歩道の場合はプレート５を設けてあり、各階段または各プレートの狭い端部が欄干台２に達する。欄干３の階段側またはプレート側を、別名運搬側６と呼び、欄干３の外側には参照番号７を付してある。
【０００８】
現在のエスカレータおよび移動歩道の場合、欄干３は、例えば、肉厚が約１０ミリのガラスで構成され、これによりエスカレータまたは移動歩道は、細身、軽量、優美な外観になっている。適用する規制によれば、偏向領域の支持チーク（support cheek）や軸は、欄干３から最大３ミリ突出している必要がある。
【０００９】
欄干３の間の間隔について特殊な規格のある国々では、図４に示すように、通常、欄干３と材質が同じ補強材８を運搬側６に配設することができる。図５に示すように、補強材８は、偏向領域１で支持体または安全要素あるいはその両方の働きをする。この安全要素は、構造の関係で欄干３に対して突出している部品により発生するステップアウトを補償し、したがって事故の危険性を排除する。図４および図５に示すように、補強材８が設けてあるため、支持ホイール１０の幅を大きくとることも可能である。支持ホイールは、回転可能な支持ディスク１０を中心として広範囲にわたり手すり４を支持し、また手すりを偏向させる。
【００１０】
図１は、支持ディスク１０による手すり４の偏向状態を示す図である。支持ディスク１０は、軸９を中心として回転可能であり、その肉厚は欄干３の厚さにほぼ等しい。軸９は、少なくとも一本の支持チーク１１または補強材８で保持され、支持チークまたは補強材は、例えば溶接接続部１２により手すり４の支持構造物、及び／または例えばネジ接続部あるいはリベット接続部１３により欄干３と接続されている。
【００１１】
図３は、手すり４の偏向の詳細を示す図である。軸９は外側７で、例えばネジまたはリベット接続部１３により支持チーク１１と接続されている。支持チークは、運搬側６の支持チーク１１としても、溶接接続部１２により、手すり構造物の支持体１４と接続されている。支持体１４は、支持ディスク１０の各面にそれぞれ一つ配設され、その一端に滑動面１５が設けてあり、この滑動面の外側を手すり４が滑動するとともに、滑動面で手すりがガイドされている。手すり４は、その中心で支持されており、回転可能な支持ディスク１０により偏向される。支持ディスク１０は、ベアリング１６により軸９に回転可能に取り付けてある。
【００１２】
図５に示すように、運搬側で欄干３から突出している軸９は、補強材８により壁厚に対して同一面を成すようにしてあり、そのため、運搬側６の欄干３も、偏向領域１において平坦になっている。補強材８が運搬側において支持チーク１１の支持機能を果たす場合は、運搬側の支持チーク１１は省いてある。
【図面の簡単な説明】
【図１】エスカレータの偏向領域の側面図である。
【図２】図１に示す偏向領域の、線Ａ−Ａについての断面を示す図である。
【図３】図１に示す偏向領域の、線Ｂ−Ｂについての断面を示す図である。
【図４】図１に示す偏向領域の、線Ｂ−Ｂについての断面を補強材と共に示す図である。
【図５】図１に示す偏向領域の、線Ｂ−Ｂについての断面を支持補強材と共に示す図である。
【符号の説明】
３  欄干
４  手すり
８  補強材
９  軸
１０  支持ディスク
１１  支持チーク
１２  溶接接続部
１３  リベット接続部
【図１】
0004118998.tif 000002
【図２】
0004118998.tif 000003
【図３】
0004118998.tif 000004
【図４】
0004118998.tif 000005
【図５】
0004118998.tif 000006